(57)【要約】【課題】  可聴域よりも高域の音信号を可能な限り継続してスピーカに与えることができ、しかもスピーカを確実に保護することができる音響装置を提供する。【解決手段】  第１固定フィルタ４によって、可聴帯域を外れる高域と低域の音信号を抽出し、レベル積算器６で積算して第１積算値ａ１を得る。第２固定フィルタ５によって、可聴帯域内の低周波数帯域ｆ（ΔＬ）の音信号をレベル積算器６で積算して第２積算値ａ２を得る。制御部７では、第１積算値ａ１と第２積算値ａ２との対比により、高域の音信号が支配的か否かを判別し、支配的なときは可変フィルタ８で高域のスピーカ駆動信号を減衰させる。【選択図】図１
2018032962.tif 000002
【特許請求の範囲】
【請求項１】
音源入力部からの音信号を処理してスピーカ駆動信号を生成する音響制御装置において、
第１の周波数よりも高い周波数帯の音信号を通過させる第１固定フィルタと、前記第１固定フィルタを通過した音信号のレベルを積算した第１積算値を得るレベル積算器と、制御部と、が設けられており、
前記制御部では、前記第１積算値が所定の値を超えたとき に、少なくとも前記第１の周波数よりも高い周波数帯域を制限することを特徴とする音響制御装置。
【請求項２】
前記第１固定フィルタまたはこれに付随する他の固定フィルタを使用して、第２の周波数（ただし、第２の周波数＜第１の周波数）よりも低い周波数帯の音信号を通過させ、前記レベル積算器では、前記第１の周波数よりも高い周波数帯の音信号のレベルと、前記第２の周波数よりも低い周波数帯の音信号をレベルとを積算して前記第１積算値を得る請求項１記載の音響制御装置。
【請求項３】
前記第１の周波数よりも低い周波数帯域内において所定の範囲で区分される低周波数帯域の音信号を通過させる第２固定フィルタが設けられ、前記レベル積算器で、前記低周波数帯域の音信号のレベルを積算した第２積算値を得て、
前記制御部では、前記第１積算値に対して前記第２積算値が大きいときに、前記スピーカ駆動信号のうち前記第１の周波数よりも高い周波数帯域を制限しないようにする請求項１記載の音響制御装置。
【請求項４】
前記第１の周波数よりも低く且つ前記第２の周波数よりも高い周波数帯域内において所定の範囲で区分される低周波数帯域の音信号を通過させる第２固定フィルタが設けられ、前記レベル積算器で、前記低周波数帯域の音信号のレベルを積算した第２積算値を得て、
前記制御部では、前記第１積算値に対して前記第２積算値が大きいときに、前記スピーカ駆動信号のうち前記第１の周波数よりも高い周波数帯域を制限しないようにする請求項２記載の音響制御装置。
【請求項５】
前記制御部では、前記第１積算値が所定の値を超え且つ前記第２積算値が所定の値よりも低いときに、少なくとも前記第１の周波数よりも高い周波数帯域を制限する請求項３または４記載の音響制御装置。
【請求項６】
前記スピーカ駆動信号の周波数分布を可変する周波数可変部をさらに備え、
前記制御部は、前記周波数可変部を制御して前記スピーカ信号のうちの前記第１の周波数よりも高い周波数帯域を制限する請求項１ないし５のいずれかに記載の音響制御装置。
【請求項７】
前記第１の周波数は、１８〜２８ｋＨｚの範囲内のいずれかの値に設定される請求項１ないし６のいずれかに記載の音響制御装置。
【請求項８】
前記第２の周波数は、５〜５０Ｈｚの範囲内のいずれかの値に設定される請求項２または４記載の音響制御装置。
【請求項９】
前記低周波数帯域は、２０Ｈｚから５００Ｈｚの範囲内で区分される請求項３，４，５のいずれかに記載の音響制御装置。
【請求項１０】
前記制御部では、前記レベル積算器からの積算値を用いて、トーン調整が行われる請求項１ないし９のいずれかに記載の音響制御装置。
【発明の詳細な説明】
【技術分野】
【０００１】
本発明は、スピーカに対して常に最適なスピーカ駆動信号を与えるように制御する音響制御装置に関する。
【背景技術】
【０００２】
スピーカのボイスコイルに直流電流が流れると、ボイスコイルが振動せずに空冷効果が働かず、熱が蓄積して温度が上昇しボイスコイルの破損に至る場合がある。そのため、従来からボイスコイルに直流電流が流れないようにした技術が多数提案されている。また、空冷効果が働く交流電流であっても、熱の蓄積が多いと予想される場合は、出力を制限するという技術も多数提案されている。なお、人間の可聴帯域を超えるような超高域成分については、もともとエネルギー量が小さいと考えられており、これに対する対策は特に考えられないことが多いが、特許文献１のように、超高域成分についての対策を考えた技術も提案されている。
【０００３】
特許文献１では、スピーカに与えられる超高域成分の入力信号が過大になると、出力トランジスタおよびスピーカのボイスコイルが破壊されるおそれがあるとされている。そこで従来のオーディオ・パワーアンプでは、安全のために可聴帯域のみを通過させるローパスフィルタを設け、可聴帯域よりも高域の超高域成分である２０ｋＨｚ以上の入力信号を減衰させていた。
【０００４】
しかし、最近は、可聴帯域よりも高域の成分を記録した音楽ソースが増えてきており、この種の音楽ソースの超高域の入力信号をスピーカに入力されることが多くなってきている。
【０００５】
そこで、特許文献１には、前記音楽ソースに対応できるように前記ローパスフィルタを外して、可聴帯域を超える超高域成分を有する入力信号を入力できるようにした音響信号用電力増幅装置に関する発明が記載されている。
【０００６】
この音響信号用電力増幅装置には、入力信号の周波数成分のうちの超高域成分を抽出するハイパスフィルタ部が設けられている。ハイパスフィルタ部からの出力信号は、レベル制御部に入力され、ここで、超高域成分のレベルが所定値を超えないようにゲインが調整される。
【０００７】
この発明は、従来のように、ローパスフィルタで可聴帯域よりも高域の入力信号をカットしてしまうのではなく、この超高域成分を減衰させることなくそのままスピーカに出力し、超高域成分のレベルが大きいときに超高域成分のレベルの制限を行う、というものである。
【先行技術文献】
【特許文献】
【０００８】
【特許文献１】特開２００９−６５４２７号公報
【発明の概要】
【発明が解決しようとする課題】
【０００９】
特許文献１に記載された音響信号用電力増幅装置は、超高域成分のレベルが大きいときに超高域成分のレベルの制限を行うというものである。しかしながら、ボイスコイルが追従して振動できる周波数を超えるような超高域においては、ボイスコイルが停止して空冷効果が働かないため、超高域成分のレベルが特に大きくなくても熱が蓄積してボイスコイルが破損に至ってしまう、という問題があった。また、ボイスコイルに熱が蓄積しておらず破損の恐れがないのにも関わらず、超高域成分のレベルが制限されて、音響効果が低下してしまうという問題があった。
【００１０】
本発明は上記従来の課題を解決するものであり、可聴帯域よりも高域の音信号をなるべくスピーカ駆動信号として利用して音響効果を高めることができ、しかもスピーカの過熱と破損を確実に防止することができる音響制御装置を提供することを目的としている。
【課題を解決するための手段】
【００１１】
本発明は、音源入力部からの音信号を処理してスピーカ駆動信号を生成する音響制御装置において、
第１の周波数よりも高い周波数帯の音信号を通過させる第１固定フィルタと、前記第１固定フィルタを通過した音信号のレベルを積算した第１積算値を得るレベル積算器と、制御部と、が設けられており、
前記制御部では、前記第１積算値が所定の値を超えたときに、少なくとも前記第１の周波数よりも高い周波数帯域を制限することを特徴とするものである。
【００１２】
本発明の音響制御装置は、前記第１固定フィルタまたはこれに付随する他の固定フィルタを使用して、第２の周波数（ただし、第２の周波数＜第１の周波数）よりも低い周波数帯の音信号を通過させ、前記レベル積算器では、前記第１の周波数よりも高い周波数帯の音信号のレベルと、前記第２の周波数よりも低い周波数帯の音信号をレベルとを積算して前記第１積算値を得るものが好ましい。
【００１３】
本発明の音響制御装置は、前記第１の周波数よりも低い周波数帯域内において所定の範囲で区分される低周波数帯域の音信号を通過させる第２固定フィルタが設けられ、前記レベル積算器で、前記低周波数帯域の音信号のレベルを積算した第２積算値を得て、
前記制御部では、前記第１積算値に対して前記第２積算値が大きいときに、前記スピーカ駆動信号のうち前記第１の周波数よりも高い周波数帯域を制限しないようにすることがさらに好ましい。
【００１４】
また、本発明の音響制御装置は、前記第１の周波数よりも低く且つ前記第２の周波数よりも高い周波数帯域内において所定の範囲で区分される低周波数帯域の音信号を通過させる第２固定フィルタが設けられ、前記レベル積算器で、前記低周波数帯域の音信号のレベルを積算した第２積算値を得て、
前記制御部では、前記第１積算値に対して前記第２積算値が大きいときに、前記スピーカ駆動信号のうち前記第１の周波数よりも高い周波数帯域を制限しないようにすることがさらに好ましい。
【００１５】
例えば、本発明の音響制御装置は、前記制御部では、前記第１積算値が所定の値を超え且つ前記第２積算値が所定の値よりも低いときに、少なくとも前記第１の周波数よりも高い周波数帯域を制限するものである。
【００１６】
また、本発明の音響装置では、前記スピーカ駆動信号の周波数分布を可変する周波数可変部を更に備え、前記制御部は、前記周波数可変部を制御して前記スピーカ信号のうちの前記第１の周波数よりも高い周波数帯域を制限するものである。
【００１７】
本発明の響制御装置は、前記第１の周波数は、１８〜２８ｋＨｚの範囲内のいずれかの値に設定される。
【００１８】
また、前記第２の周波数は、５〜５０Ｈｚの範囲内のいずれかの値に設定される。
さらに、前記低周波数帯域は、２０Ｈｚから５００Ｈｚの範囲内で区分される。
【００１９】
本発明の音響制御装置は、前記制御部において、前記レベル積算器からの積算値を用いて、トーン調整が行われるものであってもよい。
【発明の効果】
【００２０】
本発明の音響制御装置は、第１の周波数よりも高い周波数帯の音信号のレベルをレベル積算器で積算して第１積算値を得て、この第１積算値が所定の値を超えているときに、前記スピーカ駆動信号のうちの第１の周波数よりも高い周波数帯域を制限している。第１の周波数よりも高域の信号はレベルが高くても、第１積算値が所定値を超えない限りはスピーカに与えることができるため、音響効果を高く維持することができる。また、第１の周波数よりも高域の信号のレベルが低くても第１積算値が所定値を超えた場合には第１の周波数よりも高い周波数帯域を制限するので、スピーカの過熱と破損を確実に防止することができる。
【００２１】
また、第２固定フィルタを設けて、低周波数帯域の音信号を抽出し、この低周波数帯域の信号レベルを積算した第２積算値を加味することで、音響効果を維持することができる。第２積算値が大きく、低周波数帯域の音信号のレベルが高くなっていると、ボイスコイルの振幅が大きく冷却効果が高くなって、温度上昇が抑制されるが、そのようなときに高域のレベルを制限しないようにすることができ、音信号の高域のレベルが高くなって第１積算値が大きくなっていたとしても、第１の周波数よりも高域の音信号を高いレベルで使用することが可能になり、音響効果をさらに高めることが可能になる。
【図面の簡単な説明】
【００２２】
【図１】本発明の実施の形態の音響装置のブロック図、
【図２】図１に示す制御部での制御動作の一例を示すフォローチャート、
【図３】スピーカのボイスコイル与えられるスピーカ駆動信号の周波数とコイル温度との関係を示す線図、
【発明を実施するための形態】
【００２３】
図１に本発明の実施の形態の音響制御装置１のブロック図が示されている。
音響制御装置１は、音源入力部２を有している。音源入力部２から入力する音信号が、音量・トーン調整部３に与えられる。音量・トーン調整部３では、図示しない操作部を介して、音量や再生トーンを人為的に調整可能であるが、後に説明する制御部７からの制御信号によっても調整動作が行われる。
【００２４】
音量・トーン調整部３で調整された音信号は、第１固定フィルタ４と第２固定フィルタ５に与えられる。
【００２５】
第１固定フィルタ４は、第１の周波数ｆ１よりも高域の音信号と第２の周波数ｆ２よりも低域の音信号を通過させ、第１の周波数ｆ１と第２の周波数ｆ２の間の周波数帯の音信号を減衰させまたは遮断する。
【００２６】
第１固定フィルタ４は、人の可聴帯域の範囲外の音信号を通過させるものであり、第１の周波数ｆ１としては、可聴域の上限周波数付近の値である１８〜２８ｋＨｚの範囲内のいずれかの値に設定される。好ましくは、第１の周波数ｆ１は１８〜２２ｋＨｚの範囲内のいずれかの値に設定される。図１に示す実施の形態の第１固定フィルタ４では、第１の周波数ｆ１が２０ｋＨｚに設定されている。
【００２７】
第２の周波数ｆ２としては、可聴域の下限周波数付近の値である５〜５０Ｈｚの範囲内のいずれかの値に設定される。好ましくは、第２の周波数ｆ２は１０〜３０Ｈｚの範囲内のいずれかの値に設定される。図１に示す実施の形態の第１固定フィルタ４では、第２の周波数ｆ２が２０Ｈｚに設定されている。
【００２８】
第１固定フィルタ４は、カットオフ周波数が第１の周波数ｆ１の２０ｋＨｚであるハイパスフィルタ（ＨＰＦ）と、カットオフ周波数が第２の周波数ｆ２の２０Ｈｚであるローパスフィルタ（ＬＰＦ）とが組み合わされて１つの素子として構成されている。または、別々の素子として構成されたハイパスフィルタ（ＨＰＦ）とローパスフィルタ（ＬＰＦ）が組み合わされて使用されてもよい。
【００２９】
第２固定フィルタ５は、第１の周波数ｆ１（２０ｋＨｚ）よりも低く、第２の周波数ｆ２（２０Ｈｚ）よりも高い周波数帯で、しかも比較的低い低周波数帯域ｆ（Ｌ１〜Ｌ２）の音信号を通過させるバンドパスフィルタ（ＢＰＦ）である。ここで選択される低周波数帯域ｆ（Ｌ１〜Ｌ２）は、スピーカを駆動したときに、ボイスコイルの振幅が大きく、ボイスコイルに対する冷却効果を期待できる範囲に設定される。低周波数帯域ｆ（Ｌ１〜Ｌ２）は、２０Ｈｚから５００Ｈｚの範囲内で区分される周波数帯域であり、図１に示す第２固定フィルタ５では、低周波数帯域ｆ（Ｌ１〜Ｌ２）が、５０Ｈｚ〜３００Ｈｚの範囲で音信号を通過させる。
【００３０】
第１固定フィルタ４を通過した音信号と、第２固定フィルタ５を通過した音信号はレベル積算器６に与えられる。レベル積算器６は、音信号のレベル（強度）を時間で積分した値を求める。第１固定フィルタ４を通過した第１の周波数ｆ１（２０ｋＨｚ）を超えた（またはそれ以上の）超高域の周波数の音信号のレベルが所定時間積分され、第１固定フィルタ４を通過した第２の周波数ｆ２（２０Ｈｚ）以下の（または未満）の超低域の周波数の音信号のレベルが同じく所定時間積分される。第１の周波数ｆ１を超えた音信号のレベルの積算値と、第２の周波数ｆ２よりも低い音信号のレベルの積算値との合計が第１積算値ａ１である。
【００３１】
第２固定フィルタ５を通過した低周波数帯域ｆ（Ｌ１〜Ｌ２）（５０Ｈｚ〜３００Ｈｚ以下）の音信号もレベル積算器６に送られ、信号レベルが、第１固定フィルタ４を通過した信号の積分と同じ時間で積分されて、第２積算値ａ２が得られる。そして、第１積算値ａ１と第２積算値ａ２が、制御部７に送られる。
【００３２】
制御部７は、第１積算値ａ１と第２積算値ａ２に基づき、周波数可変部である可変フィルタ８のカット周波数の制御、またはオンオフの制御を行う。また、制御部７は、第１積算値ａ１と第２積算値ａ２に基づき、音量・トーン調整部３も調整することができる。
【００３３】
音量・トーン調整部３で調整された音信号のうち、可変フィルタ８を通過した周波数帯行の信号がスピーカ駆動信号Ｓｒとなってパワーアンプ１０に与えられ、スピーカ１１のボイスコイルに与えられて、スピーカ１１が駆動される。
【００３４】
次に、前記音響制御装置１の動作について説明する。
図３（Ａ）は、可聴帯域よりも低く直流に近い超低域の周波数である１０Ｈｚのスピーカ駆動信号をスピーカに与えたときのボイスコイルの温度変化を示しており、図３（Ｂ）は、可聴帯域を超えた超高域である４０ｋＨｚのスピーカ駆動信号をスピーカに与えたときのボイスコイルの温度変化を示している。いずれも、横軸が時間（分）の経過であり、縦軸はボイスコイルの温度を示している。図３（Ａ）（Ｂ）では、コーン（振動板）の直径が１７ｃｍの２ウエイスピーカを使用して温度上昇を測定した。
【００３５】
図３（Ａ）では、１０Ｈｚの単一周波数の正弦波をスピーカ駆動信号としてボイスコイルに与えて２０Ｗで駆動しているときのボイスコイルの温度変化を線図（ｉ）で示しており、そのときの、環境温度（室温）の変化を（ｉｉ）で示している。
【００３６】
図４（Ｂ）では、４０ｋＨｚの単一周波数の正弦波をスピーカ駆動信号としてボイスコイルに与えて２０Ｗで駆動しているときのボイスコイルの温度変化を線図（ｉｉｉ）で示しており、そのときの環境温度の変化を（ｉｖ）で示している。
【００３７】
図３（Ａ）の結果によれば、可聴帯域の下限であるほぼ２０Ｈｚよりもさらに低い超低域の周波数のスピーカ駆動信号がスピーカに与えられると、ボイスコイルの温度が１４分間で３０℃程度上昇する。図３（Ｂ）の結果によれば、可聴帯域の上限であるほぼ２０ｋＨｚを超えた超高域の周波数のスピーカ駆動信号がスピーカに与えられると、ボイスコイルの温度が１４分間で７０℃程度上昇する。
【００３８】
前記のようにきわめて低い周波数のスピーカ駆動信号または可聴帯域を超えるきわめて高い周波数のスピーカ駆動信号がスピーカ１１のボイスコイルに与えられたときは、ボイスコイルがほとんど動かず、ボイスコイルの周辺の空気を撹拌されることがないため、ボイスコイルの発熱を周囲の空間に向けて十分に放熱することができない。そのため、ボイスコイルが高熱になりやすく破損する危険性が高くなる。
【００３９】
そこで、第１固定フィルタ４では、第１の周波数ｆ１である２０ｋＨｚを超えた（以上の）周波数の音信号と、第２の周波数ｆ２である２０Ｈｚ以下（または未満）の周波数の音信号を抽出し、レベル積算器６で、２０ｋＨｚを超えた音信号のレベルの積算値と、２０Ｈｚ以下の音信号のレベルの積算値とを加算した第１積算値ａ１を算出している。制御部７では、第１積算値ａ１が高すぎると判断したときに、可変フィルタ８を制御して、超高域のスピーカ駆動信号がボイスコイルに与えられるのを抑制できるようにしている。
【００４０】
これに対し、第２固定フィルタ５で抽出している５０Ｈｚ〜３００Ｈｚの音信号の周波数は可聴帯域内にある。この低周波数帯域ｆ（Ｌ１〜Ｌ２）の音信号がスピーカ１１のボイスコイルに与えられるときは、ボイスコイルがかなり大きな振幅で振動する。その結果、ボイスコイルの周囲の空気が撹拌されて、ボイスコイルに発生した熱が空気中に放出されやすくなり、冷却効果が高められることになる。
【００４１】
そこで、制御部７では、第１固定フィルタ４を通過した音信号のレベルの第１積算値ａ１と、第２固定フィルタ５を通過した音信号のレベルの第２積算値ａ２とから演算を行って、周波数可変部である可変フィルタ８の通過帯域を可変制御している。
【００４２】
図２に制御部７での処理動作のフローチャートが示されている。制御部７はＣＰＵとメモリを主体として構成されている。
【００４３】
図２に示すステップ１（ＳＴ１）において、第１積算値ａ１と第２積算値ａ２が制御部７に与えられると、制御部７では、第２積算値ａ２の大きさを加味しながら、第１積算値ａ１が大きいか否かを判別し、可変フィルタ８の通過周波数を変更するか否かを判断する。
【００４４】
ＳＴ２では、第１積算値ａ１が第１のしきい値を超えており（以上であり）、且つ第２積算値ａ２が第２のしきい値以下（または未満）であったと判断したときに、ＳＴ３に移行し、可変フィルタ８の通過周波数帯域を狭帯域に変化させる。また、ＳＴ２において、第１積算値ａ１が第１のしきい値を超え、且つ第２積算値ａ２が第２のしきい値以下である、との条件が満たされないときは、ＳＴ４に移行して、可変フィルタ８の通過周波数を広帯域とする。
【００４５】
すなわち、第１の周波数ｆ１を超える音信号と第２の周波数以下の音信号のレベルを積算した第１積算値ａ１の値が高かったとしても、低周波数帯域ｆ（Ｌ１〜Ｌ２）の音信号のレベルを積算した第２積算値ａ２が高ければ、５０〜３００Ｈｚの音信号の支配率が所定の割合を超えて、ボイスコイルに十分な冷却効果を与えることが可能になる。このときは、可変フィルタ８を広帯域とし、２０ｋＨｚを超える高周波数帯のスピーカ駆動信号をボイスコイルに与えても、ボイスコイルが過大な熱で破損する危険性を低下させることができる。
【００４６】
一方で、第１の周波数ｆ１を超える音信号と第２の周波数以下の音信号のレベルを積算した第１積算値ａ１の値が高く、且つ低周波数帯域ｆ（Ｌ１〜Ｌ２）の音信号のレベルを積算した第２積算値ａ２が低いときは、低周波数帯域でボイスコイルが大きな振幅で振動させられる頻度が低く、ボイスコイルに対する冷却効果を十分に期待できない状態である。よって、２０ｋＨｚを超える超高周波数帯のスピーカ駆動信号を減衰させる。あるいは、２０ｋＨｚを超える超高周波数帯のスピーカ駆動信号を遮断する。
【００４７】
なお、制御部７において、第１積算値ａ１と第２積算値ａ２を比較し、例えば、第１積算値ａ１の比（ａ１／（ａ１＋ａ２））を演算し、この比が所定のしきい値を超えたら可変フィルタ８を狭帯域に変更し、２０ｋＨｚを超える超高周波数帯のスピーカ駆動信号を減衰させ、あるいは２０ｋＨｚを超える超高周波数帯のスピーカ駆動信号を遮断してもよい。
【００４８】
また、第２積算値ａ２の比（ａ２／（ａ１＋ａ２））を演算し、この比が所定のしきい値以下（または未満）となったら可変フィルタ８を狭帯域に変更してもよい。
【００４９】
ＳＴ３において可変フィルタ８を狭帯域にする設定は、可聴帯域を超える２０ｋＨｚ以上の周波数の信号を遮断してもよいし、第１積算値ａ１のレベルや前記比に応じて、可聴帯域を超える２０ｋＨｚ以上の周波数の信号の減衰率を変化させてもよい。あるいは、第１積算値ａ１のレベルや前記比に応じて、可変フィルタ８における広帯域を通過させる周波数帯域を２０ｋＨｚから４０ｋＨｚの範囲内で変化させてもよい。
【００５０】
上記音響制御装置１を使用すると、第１の周波数ｆ１以上の音信号のレベルや第２の周波数ｆ２以下の音信号のレベルが高い場合であっても、低周波数帯域ｆ（Ｌ１〜Ｌ２）の音声レベルの積算値が高ければ、ボイスコイルの加熱を防止でき、温度上昇を抑制できる。したがって、この場合には、２０ｋＨｚ以上の高域のスピーカ駆動信号Ｓｒをパワーアンプ１０に与えることができることになり、高域の音信号を含ませた音響を形成することが可能になる。
【００５１】
なお、図１に示す音響制御装置１では、第１積算値ａ１の数値が高いと判断されたときは、可変フィルタ８の調整とともに、または可変フィルタ８の調整を行うことなく、音量・トーン調整部３に制御信号が与えられ、音信号のトーン調整、すなわち高域の成分のレベルを低下させる調整も行われる。
【００５２】
以下本発明の実施の形態の変形例について説明する。
（第１変形例）
図１に示すブロック図において、第１固定フィルタ４で、第１の周波数である２０ｋＨｚ以上の周波数の音信号のみを抽出してレベル積算器６に与えて、２０ｋＨｚ以上の周波数の音信号のレベルのみを積算して第１積算値ａ１を算出してもよい。この場合に、２０ｋＨｚ以下の音信号は、音源入力部２に入力される前にローパスフィルタで除去ことが好ましい。
【００５３】
（第２変形例）
図１に示すブロック図において、第２固定フィルタ５を設けずに、レベル積算器６において、第１の周波数ｆ１以上の周波数の音信号のレベルを積算した第１積算値ａ１を求め、あるいは、第２の周波数ｆ２以下の周波数のレベル積算値も加味した第１積算値ａ１を求め、制御部７では、第１積算値ａ１の値のみを使用して（第２積算値ａ２を使用せずに）、可変フィルタ８を制御してもよい。
【００５４】
例えば、２０ｋＨｚを超える高域の音信号のレベルが一時的に高かったとしても、これが長く継続せずに、たまに現れるだけであれば、ボイスコイルに与えるダメージは全くない。したがって、第１の周波数ｆ１以上の周波数の音信号のレベルを積算した第１積算値ａ１の値が低いときは、高域の音信号のレベルが高かったとしても、その信号をスピーカ１１に与えることで、音源のオリジナリティを生かした音響を再生することが可能になる。
【符号の説明】
【００５５】
１  音響制御装置
２  音源入力部
４  第１固定フィルタ
５  第２固定フィルタ
６  レベル積算器
７  制御部
８  可変フィルタ
１１  スピーカ
ａ１  第１の積算値
ａ２  第２の積算値
ｆ１  第１の周波数
ｆ２  第２の周波数
ｆ（ΔＬ）  低周波数帯域
【図１】
2018032962.tif 000003
【図２】
2018032962.tif 000004
【図３】
2018032962.tif 000005